(57)【要約】【課題】表示装置３０を小型化し、視認性を向上させる。【解決手段】表示装置３０は、発光部３２としてオンライン状態発光部３２ａ、オフライン状態発光部３２ｂ、及び省電力状態発光部３２ｃを有し、出射光を出力する。この出射光は、導光路４１ａ，４１ｂ，４１ｃに誘導されて、表示部３１を照射する。更に、この出射光は、導光路４１ｄ，４１ｅ，４１ｆ，４１ｇ，４１ｈに誘導されて、操作部３３としてのエンターキー３３ａ、セレクトキー３３ｂ、オンラインキー３３ｃ、キャンセルキー３３ｄ、及びパワーセーブキー３３ｅを照射する。これにより、表示部３１及び操作部３３は、発光素子を設けることなく発光することが可能となる。そのため、表示装置３０は、発光素子を多数設ける必要が無くなり、小型化を可能とし、更に、視認性を向上させることが可能となる。【選択図】図１
2016022640.tif 000002
【特許請求の範囲】
【請求項１】
電子機器に設けられる表示装置であって、
前記電子機器の動作状態に応じて発光して出射光を出力する発光部と、
前記出射光を所定箇所に誘導する導光路と、
前記所定箇所に配置され、前記電子機器の動作状態を表示すると共に、誘導された前記出射光の照射によって発光する表示部と、
前記所定箇所に配置され、前記電子機器に対して情報を入力すると共に、誘導された前記出射光の照射によって前記表示部と共に発光する操作部と、
を有することを特徴とする表示装置。
【請求項２】
前記導光路は、光学系により構成されていることを特徴とする請求項１記載の表示装置。
【請求項３】
前記発光部は、複数存在し、
前記複数の発光部は、発光素子により構成されていることを特徴とする請求項１又は２記載の表示装置。
【請求項４】
前記複数の発光部は、それぞれ異なる色の前記出射光を出力するものであって、前記電子機器の動作状態に応じていずれか１つの前記発光部が選択され、
前記表示部及び前記操作部は、１つの前記発光部から出力される前記出射光によって同一のタイミングで照射されることを特徴とする請求項３記載の表示装置。
【請求項５】
前記表示部は、液晶パネルにより構成され、
前記液晶パネルは、前記出射光がバックライトとして照射されることによって発光することを特徴とする請求項１〜４のいずれか１項に記載の表示装置。
【請求項６】
前記操作部は、ボタンキーにより構成されることを特徴とする請求項１〜５のいずれか１項に記載の表示装置。
【請求項７】
請求項１〜６のいずれか１項に記載の表示装置を備える前記電子機器は、画像を記録媒体に形成する画像形成装置であることを特徴とする画像形成装置。
【請求項８】
前記画像形成装置の動作状態は、上位装置からの画像形成指示に従って画像形成を行う画像形成可能なオンライン状態、前記上位装置からの画像形成指示を受け付けない画像形成不可能なオフライン状態、又は前記操作部からの指示に基づいて画像形成装置の消費電力を低減する省電力状態、であることを特徴とする請求項７記載の画像形成装置。
【発明の詳細な説明】
【技術分野】
【０００１】
本発明は、電子機器に設けられる表示装置及びこの表示装置を設けた画像形成装置に関するものである。
【背景技術】
【０００２】
従来、画像形成装置等の電子機器に設けられる表示装置には、電子機器の動作状態を表示する表示部と、電子機器に対して情報を入力する操作部と、が設けられている。表示装置には、例えば、表示部として液晶パネル（以下「ＬＣＤ」という。）が使用され、表示部及び操作部を発光させる発光部として発光ダイオード（以下「ＬＥＤ」という。）が使用されている。
【０００３】
ＬＣＤ及びＬＥＤは、いずれも視野確認範囲が狭いため、離れた場所からの視認性が劣る。このため、従来、例えば、特許文献１等に記載された表示装置は、複数のＬＥＤを用いてＬＣＤの背面を照射することにより、複数の色でＬＣＤを発光させ、離れた場所からの視認性を向上させている。
【先行技術文献】
【特許文献】
【０００４】
【特許文献１】特開２００４−２５８４０１号公報
【発明の概要】
【発明が解決しようとする課題】
【０００５】
しかしながら、従来の表示装置では、視認性の少ないＬＣＤの背面を複数のＬＥＤにて照射するため、ＬＣＤの背面基板上にＬＥＤを複数搭載するスペースが必要になる。更に、操作部を発光させる場合、操作部にもＬＥＤを複数搭載するためのスペースが必要になる。そのため、従来の表示装置は、表示装置を小型化できない、という課題があった。
【課題を解決するための手段】
【０００６】
本発明の表示装置は、電子機器に設けられる表示装置であって、前記電子機器の動作状態に応じて発光して出射光を出力する発光部と、前記出射光を所定箇所に誘導する導光路と、前記所定箇所に配置され、前記電子機器の動作状態を表示すると共に、誘導された前記出射光の照射によって発光する表示部と、前記所定箇所に配置され、前記電子機器に対して情報を入力すると共に、誘導された前記出射光の照射によって前記表示部と共に発光する操作部と、を有することを特徴とする。
【０００７】
本発明の画像形成装置は、前記表示装置を備える前記電子機器は、画像を記録媒体に形成する画像形成装置であることを特徴とする。
【発明の効果】
【０００８】
本発明の表示装置及び画像形成装置によれば、発光部の出射光を導光路により誘導して表示部及び操作部を発光させる構成としたので、表示部及び操作部を構成する発光素子を多数搭載する必要がなくなる。そのため、表示装置の小型化が可能となる。更に、発光部の出射光により、表示部及び操作部を照射するため、表示装置の視認性を向上させることができ、表示部及び操作部を同時に点灯／消灯させることが容易となる。
【図面の簡単な説明】
【０００９】
【図１】図１は図４中の表示装置３０を示す模式的な平面図である。
【図２】図２は本発明の実施例１における画像形成装置１の外観を示す斜視図である。
【図３】図３は図２の画像形成装置１の内部を示す構造図である。
【図４】図４は図３中の制御装置２０の機能を示す概略の構成図である。
【図５】図５は比較例における図４中の表示装置３０Ａを示す模式的な平面図である。
【図６】図６は図１の表示装置３０がオンライン状態の例を示す平面図である。
【図７】図７は図１の表示装置３０がオフライン状態の例を示す平面図である。
【図８】図８は図１の表示装置３０が省電力状態の例を示す平面図である。
【図９】図９は本発明の実施例２における表示装置３０Ｂがオンライン状態の例を示す平面図である。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１における画像形成装置１の外観を示す斜視図である。
【００１２】
画像形成装置１は、電子機器の１つであり、例えば、カラー電子写真プリンタである。この画像形成装置１の外部は、筐体２に覆われており、この筐体２の上部に、カバー２ａが開閉自在に取り付けられている。カバー２ａには、画像形成後の記録媒体としての用紙Ｐを積層するためのスタッカ１４が設けられている。筐体２の上部には、画像形成装置１の動作状態を表示しこの画像形成装置１に対して情報を入力するための略長方形状の表示装置３０が設けられている。
【００１３】
図３は、図２の画像形成装置１の内部を示す構造図である。
この画像形成装置１の筐体２内の下部には、画像形成用の用紙Ｐを収納する用紙カセット３が、着脱自在に装着されている。用紙カセット３の前端の上部には、給紙ローラ４が配設されている。給紙ローラ４は、一定方向にのみ駆動力を伝達して反転すると空転するワンウェイクラッチ機能を内蔵し、用紙Ｐを１枚ずつ供給するためのものである。給紙ローラ４の用紙Ｐ繰出し側の下流方向には、繰り出された用紙Ｐを画像形成装置１内の上方へ搬送するための用紙搬送路５が設けられている。用紙搬送路５には、用紙Ｐの通過を検知するための複数のセンサ６ａ，６ｂと、用紙Ｐを搬送するための複数の搬送ローラ７ａ，７ｂ，７ｃ，７ｄと、が配設されている。
【００１４】
用紙Ｐの傾斜（スキュー）矯正機能を有する搬送ローラ７ｂの下流側且つ用紙搬送路５の上方には、４つの画像形成部８が、カバー２ａを開くことにより挿脱可能に取り付けられている。４つの画像形成部８は、黒色の画像形成部８Ｋ、黄色の画像形成部８Ｙ、マゼンタ色の画像形成部８Ｍ、及びシアン色の画像形成部８Ｃにより構成されている。各画像形成部８は、表面に静電潜像を形成し、現像剤を付着させて現像剤像を形成するための感光体ドラム８ａと、この感光体ドラム８ａの表面を露光して静電潜像を形成するためのＬＥＤヘッド８ｂと、等を有している。
【００１５】
４つの画像形成部８の下方には、現像剤像を用紙Ｐに転写するための無端状の転写ベルト９が、一対の主駆動ローラ１０と従駆動ローラ１１との間に懸架されている。主駆動ローラ１０は、転写ベルト９を回転させるものであり、図示しないモータ等により駆動される。従駆動ローラ１１は、主駆動ローラ１０の回転により連れ回りする。転写ベルト９の内側には、現像剤像を用紙Ｐに転写するための４つの転写ローラ１２が設けられている。４つの転写ローラ１２は、黒色の転写ローラ１２Ｋ、黄色の転写ローラ１２Ｙ、マゼンタ色の転写ローラ１２Ｍ、及びシアン色の転写ローラ１２Ｃにより構成されている。
【００１６】
４つの画像形成部８及び４つの転写ローラ１２の下流側には、現像剤像を用紙Ｐに定着するための定着部１３が配設されている。定着部１３は、現像剤像を加熱して用紙Ｐに定着するための定着ローラ１３ａと、この定着ローラ１３ａに圧接して用紙Ｐを加圧する加圧ローラ１３ｂと、から構成されている。定着部１３によって現像剤像が定着された用紙Ｐは、搬送ローラ７ｃ，７ｄにより、カバー２ａの上方外側のスタッカ１４へ排出されるようになっている。更に、画像形成装置１は、装置全体を制御するための制御装置２０を有している。
【００１７】
図４は、図３中の制御装置２０の機能を示す概略の構成図である。
制御装置２０は、パーソナルコンピュータ（ＰＣ）等で構成された上位装置１８から、ネットワーク１９を介して、制御コマンド及び画像データを有する画像形成指示を受信するインタフェース（以下「Ｉ／Ｆ」という。）２１を有している。Ｉ／Ｆ２１には、制御部２２が接続されている。制御部２２は、受信した画像形成指示に従って画像形成を行うために画像形成装置１の全体をプログラム制御するものであり、中央処理装置（ＣＰＵ）等により構成されている。
【００１８】
制御部２２には、表示装置３０と、画像形成装置１を駆動するための駆動電力を供給する電源部２３と、等が接続されている。制御部２２内のモード切替手段２２ａは、画像形成装置１の動作状態をオンライン状態に切り替えるためのモード切替信号Ｓ１、画像形成装置１の動作状態をオフライン状態に切り替えるためのモード切替信号Ｓ２、及び画像形成装置１の動作状態を省電力状態に切り替えるためのモード切替信号Ｓ３を表示装置３０へ出力する機能を有している。更に、モード切替手段２２ａは、画像形成装置１内の電力消費を低減するための省電力信号Ｓ４を電源部２３へ出力する機能を有している。電源部２３には、用紙Ｐに現像剤像を形成するための画像形成部２４が接続されている。
【００１９】
表示装置３０は、所定箇所に配置されて画像形成装置１の動作状態を表示する表示部３１と、画像形成装置１の動作状態に応じて発光して出射光を出力する発光部３２と、所定箇所に配置されて画像形成装置１に対して情報を入力する操作部３３と、を有している。表示部３１は、例えば、ＬＣＤにより構成されている。
【００２０】
発光部３２は、例えば緑色に発光するオンライン状態発光部３２ａと、例えば橙色に発光するオフライン状態発光部３２ｂと、例えば黄色に発光する省電力状態発光部３２ｃと、を有し、例えば、それぞれＬＥＤにより構成されている。オンライン状態発光部３２ａが発光している時は、画像形成装置１が上位装置１８からの画像形成指示を受信して画像形成可能なオンライン状態であることを示している。オフライン状態発光部３２ｂが発光している時は、画像形成装置１が上位装置１８からの画像形成指示を受け付けない画像形成不可能なオフライン状態であることを示している。前記オフライン状態は、例えば、現像剤の残量不足、用紙詰まり、又は用紙切れ等によるものである。省電力状態発光部３２ｃが発光している時は、画像形成装置１が操作部３３からの指示に基づいて画像形成装置１内の消費電力を低減する省電力状態であり、画像形成不可能であることを示している。
【００２１】
操作部３３は、エンターキー３３ａと、セレクトキー３３ｂと、オンラインキー３３ｃと、キャンセルキー３３ｄと、パワーセーブキー３３ｅと、を有し、例えば、ボタンキーにより構成されている。エンターキー３３ａは、画像形成の実行を指示するためのボタンキーである。セレクトキー３３ｂは、表示部３１に表示されている表示内容を選択するためのボタンキーである。オンラインキー３３ｃは、画像形成装置１のオンライン状態を指示するためのボタンキーである。キャンセルキー３３ｄは、画像形成装置１における現像剤の残量不足、用紙詰まり、又は用紙切れ等が解消したため、画像形成不可能な状態を取消すためのボタンキーである。パワーセーブキー３３ｅは、画像形成装置１内の電力消費を低減するための省電力信号Ｓ５を電源部２３へ出力するためのボタンキーである。
【００２２】
図１は、図４中の表示装置３０を示す模式的な平面図である。
表示装置３０には、所定箇所（例えば、上部）に略長方形状の表示部３１が配置されている。表示部３１の下部側近傍には、略長方形状のオンライン状態発光部３２ａと、略長方形状のオフライン状態発光部３２ｂと、略長方形状の省電力状態発光部３２ｃと、が左右方向に並列して配置されている。表示部３１と、オンライン状態発光部３２ａ、オフライン状態発光部３２ｂ、及び省電力状態発光部３２ｃとが、それぞれ導光路４１ａ、導光路４１ｂ、及び導光路４１ｃによって接続されている。導光路４１ａ，４１ｂ，４１ｃは、オンライン状態発光部３２ａ、オフライン状態発光部３２ｂ、及び省電力状態発光部３２ｃがそれぞれ出力する出射光を表示部３１に誘導し、誘導された出射光のバックライトとしての照射によって発光するためのものである。
【００２３】
オンライン状態発光部３２ａの下部側には、略円形のエンターキー３３ａが配置されている。オフライン状態発光部３２ｂ及び省電力状態発光部３２ｃの下部側には、略円形のセレクトキー３３ｂが配置されている。エンターキー３３ａの下部側には、略円形のオンラインキー３３ｃが配置されている。オンライン状態発光部３２ａと、エンターキー３３ａ、セレクトキー３３ｂ、及びオンラインキー３３ｃとが、それぞれ導光路４１ｄ、導光路４１ｅ、及び導光路４１ｆによって接続されている。導光路４１ｄ，４１ｅ，４１ｆは、オンライン状態発光部３２ａが出力する出射光をエンターキー３３ａ、セレクトキー３３ｂ、オンラインキー３３ｃにそれぞれ誘導し、誘導された出射光の照射によってエンターキー３３ａ、セレクトキー３３ｂ、オンラインキー３３ｃをそれぞれ発光するためのものである。
【００２４】
オンラインキー３３ｃの下部側には、略円形のキャンセルキー３３ｄが配置されている。オフライン状態発光部３２ｂとキャンセルキー３３ｄとが、導光路４１ｇによって接続されている。導光路４１ｇは、オフライン状態発光部３２ｂが出力する出射光をキャンセルキー３３ｄに誘導し、誘導された出射光の照射によってキャンセルキー３３ｄを発光するためのものである。
【００２５】
セレクトキー３３ｂの下部側には、略円形のパワーセーブキー３３ｅが配置されている。省電力状態発光部３２ｃとパワーセーブキー３３ｅとが、導光路４１ｈによって接続されている。導光路４１ｈは、省電力状態発光部３２ｃが出力する出射光をパワーセーブキー３３ｅに誘導し、誘導された出射光の照射によってパワーセーブキー３３ｅを発光するためのものである。導光路４１ａ，４１ｂ，４１ｃ，４１ｄ，４１ｅ，４１ｆ，４１ｇ，４１ｈは、例えば、レンズ経路又は光ファイバー等の光学系により構成されている。
【００２６】
（比較例の構成）
図５は、比較例における図４中の表示装置３０Ａを示す図であり、実施例１を示す図１中の要素と共通の要素には共通の符号が付されている。
【００２７】
図５に示す表示装置３０Ａは、図１におけるオンライン状態発光部３２ａ、オフライン状態発光部３２ｂ、及び省電力状態発光部３２ｃに代えて、これらとは構成の異なるオンライン状態発光部３２ｄ、オフライン状態発光部３２ｅ、及び省電力状態発光部３２ｆを有し、それぞれＬＥＤにより構成されている。オンライン状態発光部３２ｄ、オフライン状態発光部３２ｅ、及び省電力状態発光部３２ｆは、キャンセルキー３３ｄ及びパワーセーブキー３３ｅの下方に配置されている点が表示装置３０と異なる。更に、表示装置３０Ａは、図１における導光路４１ａ，４１ｂ，４１ｃ，４１ｄ，４１ｅ，４１ｆ，４１ｇ，４１ｈを有していない点が表示装置３０と異なる。その他の表示装置３０Ａの構成については、表示装置３０と同様である。
【００２８】
このような表示装置３０Ａのオンライン状態発光部３２ｄ、オフライン状態発光部３２ｅ、及び省電力状態発光部３２ｆにより出力される出射光は、視野確認範囲が狭く、離れた場所からの視認性が劣る。そのため、表示装置３０Ａは、重大なエラーが発生した場合であっても画像形成装置１のユーザから見落とされる、という不都合があった。
【００２９】
この不都合を解消するため、表示装置３０Ａにおいて、表示部３１、エンターキー３３ａ、セレクトキー３３ｂ、オンラインキー３３ｃ、キャンセルキー３３ｄ、及びパワーセーブキー３３ｅを、オンライン状態発光部３２ｄ、オフライン状態発光部３２ｅ、及び省電力状態発光部３２ｆのように発光させて視認性を向上しようとすると、これら全てに発光素子を設ける必要がある。そのため、表示装置３０Ａを小型化できない、という不都合が生じる。実施例１では、前述のような構成を採用することにより、これらの不都合を解消するものである。
【００３０】
（実施例１の画像形成装置の全体の動作）
図３及び図４を参照しつつ、画像形成装置１における画像形成動作を説明する。
【００３１】
図４に示す上位装置１８から送信された画像形成指示が入力されると、図３に示す用紙カセット３内の用紙Ｐは、給紙ローラ４によって繰り出される。給紙ローラ４によって繰り出された用紙Ｐは、用紙搬送路５内のセンサ６ａ，６ｂ、及び搬送ローラ７ａ，７ｂを経由して、４つの画像形成部８へ送られる。
【００３２】
センサ６ａ，６ｂが用紙Ｐを検知すると、各画像形成部８内の感光体ドラム８ａには、一定の電荷が印加され、表面が均一に帯電される。ＬＥＤヘッド８ｂは、形成する画像の情報に応じた記録光を感光体ドラム８ａへ照射する。これにより、感光体ドラム８ａの表面には、形成しようとする画像部分の電荷のみが除去されて静電潜像が形成される。感光体ドラム８ａの表面に形成された静電潜像には、現像剤が供給されて現像剤像が形成される。感光体ドラム８ａの表面に形成された現像剤像は、４つの転写ローラ１２によって用紙Ｐに転写される。
【００３３】
現像剤像が転写された用紙Ｐは、定着部１３へ搬送される。搬送された用紙Ｐは、定着ローラ１３ａ及び加圧ローラ１３ｂにより加熱及び加圧されて、現像剤像が用紙Ｐ上に定着される。現像剤像が定着された用紙Ｐは、搬送ローラ７ｃ，７ｄにより、スタッカ１４へ排出され、画像形成動作が終了する。
【００３４】
（実施例１の表示装置の動作）
図６（ａ）、（ｂ）は、図１の表示装置３０がオンライン状態の例を示す平面図であり、同図（ａ）は表示装置３０内において発光する箇所を網掛け部分で示す図であり、更に、同図（ｂ）は同図（ａ）において出射光を誘導する導光路を示す図である。
【００３５】
図４を参照しつつ、図６（ａ）、（ｂ）に示す表示装置３０の動作を説明する。
図４に示すモード切替手段２２ａは、オンラインキー３３ｃが押下された場合、モード切替信号Ｓ１を表示装置３０へ出力する。このとき、表示装置３０は、図６（ａ）に示すように、表示部３１、オンライン状態発光部３２ａ、エンターキー３３ａ、セレクトキー３３ｂ、及びオンラインキー３３ｃを、例えば、緑色に発光する。更に、表示部３１には、例えば、「インサツデキマス」の文字が表示される。
【００３６】
図６（ｂ）に示すように、オンライン状態発光部３２ａから出力された緑色の出射光は、導光路４１ａに誘導されて、バックライトとして表示部３１裏面を照射する。表示部３１は、この出射光の照射により緑色に発光する。同様に、オンライン状態発光部３２ａから出力された緑色の出射光は、導光路４１ｄ，４１ｅ，４１ｆに誘導されて、エンターキー３３ａ、セレクトキー３３ｂ、及びオンラインキー３３ｃを照射する。エンターキー３３ａ、セレクトキー３３ｂ、及びオンラインキー３３ｃは、この出射光の照射により同一のタイミングで緑色に発光する。
【００３７】
図７（ａ）、（ｂ）は、図１の表示装置３０がオフライン状態の例を示す平面図であり、同図（ａ）は表示装置３０内において発光する箇所を網掛け部分で示す図であり、更に、同図（ｂ）は同図（ａ）において出射光を誘導する導光路を示す図である。
【００３８】
図４を参照しつつ、図７（ａ）、（ｂ）に示す表示装置３０の動作を説明する。
図４に示すモード切替手段２２ａは、画像形成装置１の画像形成動作中に現像剤の残量不足、用紙詰まり、又は用紙切れ等が発生した場合、モード切替信号Ｓ２を表示装置３０へ出力する。このとき、表示装置３０は、図７（ａ）に示すように、表示部３１、オフライン状態発光部３２ｂ、及びキャンセルキー３３ｄを、例えば、橙色に発光する。更に、表示部３１には、例えば、「ヨウシジャム  ＊＊＊＊」の文言が表示される。
【００３９】
図７（ｂ）に示すように、オフライン状態発光部３２ｂから出力された橙色の出射光は、導光路４１ｂに誘導されて、バックライトとして表示部３１裏面を照射する。表示部３１は、この出射光の照射により橙色に発光する。同様に、オフライン状態発光部３２ｂから出力された橙色の出射光は、導光路４１ｇに誘導されて、キャンセルキー３３ｄを照射する。キャンセルキー３３ｄは、この出射光の照射により同一のタイミングで橙色に発光する。
【００４０】
図８（ａ）、（ｂ）は、図１の表示装置３０が省電力状態の例を示す平面図であり、同図（ａ）は表示装置３０内において発光する箇所を網掛け部分で示す図であり、更に、同図（ｂ）は同図（ａ）において出射光を誘導する導光路を示す図である。
【００４１】
図４を参照しつつ、図８（ａ）、（ｂ）に示す表示装置３０の動作を説明する。
図４に示すモード切替手段２２ａは、パワーセーブキー３３ｅが押下された場合、モード切替信号Ｓ３を表示装置３０へ、省電力信号Ｓ４を電源部２３へ、それぞれ出力する。このとき、表示装置３０は、図８（ａ）に示すように、表示部３１、省電力状態発光部３２ｃ、及びパワーセーブキー３３ｅを、例えば、黄色に発光する。
【００４２】
図８（ｂ）に示すように、省電力状態発光部３２ｃから出力された黄色の出射光は、導光路４１ｃに誘導されて、バックライトとして表示部３１を照射する。表示部３１は、この出射光の照射により黄色に発光する。同様に、省電力状態発光部３２ｃから出力された出射光は、導光路４１ｈに誘導されて、パワーセーブキー３３ｅを照射する。パワーセーブキー３３ｅは、この出射光の照射により同一のタイミングで黄色に発光する。
【００４３】
（実施例１の効果）
本実施例１の表示装置３０及び画像形成装置１によれば、次の（Ａ）〜（Ｃ）のような効果がある。
【００４４】
（Ａ）  表示装置３０の小型化
オンライン状態発光部３２ａ、オフライン状態発光部３２ｂ、及び省電力状態発光部３２ｃから出力された出射光は、導光路４１ａ〜４１ｈに誘導されて，表示部３１、エンターキー３３ａ、セレクトキー３３ｂ、オンラインキー３３ｃ、キャンセルキー３３ｄ、及びパワーセーブキー３３ｅが照射される。これにより、表示部３１、エンターキー３３ａ、セレクトキー３３ｂ、オンラインキー３３ｃ、キャンセルキー３３ｄ、及びパワーセーブキー３３ｅにＬＥＤを設ける必要がなくなる。そのため、表示装置３０の小型化が可能となる。
【００４５】
（Ｂ）  視認性の向上
オンライン状態発光部３２ａから出力された緑色の出射光は、導光路４１ａ，４１ｄ，４１ｅ，４１ｆによって誘導されて表示部３１、エンターキー３３ａ、セレクトキー３３ｂ、及びオンラインキー３３ｃが照射される。これにより、オンライン状態発光部３２ａ、表示部３１、エンターキー３３ａ、セレクトキー３３ｂ、及びオンラインキー３３ｃは同一のタイミングで緑色に発光する。そのため、表示装置３０の視認性を向上させることができる。
【００４６】
（Ｃ）  点灯／消灯の容易化
オンライン状態発光部３２ａから出力された緑色の出射光により、表示部３１、エンターキー３３ａ、セレクトキー３３ｂ、及びオンラインキー３３ｃが同一のタイミングで照射される。そのため、オンライン状態発光部３２ａ、表示部３１、エンターキー３３ａ、セレクトキー３３ｂ、及びオンラインキー３３ｃを同時に点灯／消灯させることが容易となる。
【実施例２】
【００４７】
（実施例２の構成）
図９（ａ）、（ｂ）は、本発明の実施例２における表示装置３０Ｂがオンライン状態の例を示す平面図であり、同図（ａ）は表示装置３０Ｂ内において発光する箇所を網掛け部分で示す図であり、更に、同図（ｂ）は同図（ａ）において出射光を誘導する導光路を示す図である。図９（ａ）、（ｂ）には、実施例１を示す図６（ａ）、（ｂ）中の要素と共通の要素には共通の符号が付されている。
【００４８】
図９（ａ）に示す表示装置３０Ｂは、図６（ａ）におけるオンライン状態発光部３２ａ、オフライン状態発光部３２ｂ、及び省電力状態発光部３２ｃに代えて、これらとは構成の異なるオンライン状態表示部３４ａ、オフライン状態表示部３４ｂ、及び省電力状態表示部３４ｃを有している。オンライン状態表示部３４ａ、オフライン状態表示部３４ｂ、及び省電力状態表示部３４ｃは、ＬＥＤによって発光しない点が表示装置３０と異なる。更に、表示装置３０Ｂは、エンターキー３３ａの下部側における内部に設けられたオンライン状態発光部３２ｇ、セレクトキー３３ｂの中央部における内部に設けられたオフライン状態発光部３２ｈ、及びセレクトキー３３ｂの右端部における内部に設けられた省電力状態発光部３２ｉを有する点が表示装置３０と異なる。オンライン状態発光部３２ｇは、図６（ａ）におけるオンライン状態発光部３２ａと同様に、画像形成装置１がオンライン状態である場合に緑色に発光するものである。オフライン状態発光部３２ｈは、オフライン状態発光部３２ｂと同様に、画像形成装置１がオフライン状態である場合に橙色に発光するものである。省電力状態発光部３２ｉは、省電力状態発光部３２ｃと同様に、画像形成装置１が省電力状態である場合に黄色に発光するものである。その他の表示装置３０Ｂの構成については、実施例１の表示装置３０と同様である。
【００４９】
（実施例２の表示装置の動作）
図４を参照しつつ、図９（ａ）、（ｂ）に示す表示装置３０Ｂの動作を説明する。
【００５０】
図４に示すモード切替手段２２ａは、オンラインキー３３ｃが押下された場合、モード切替信号Ｓ１を表示装置３０Ｂへ出力する。このとき、表示装置３０Ｂは、図９（ａ）に示すように、表示部３１、オンライン状態表示部３４ａ、エンターキー３３ａ、セレクトキー３３ｂ、オンラインキー３３ｃ、及びオンライン状態発光部３２ｇを、例えば、緑色に発光する。更に、表示部３１には、例えば、「インサツデキマス」の文字が表示される。
【００５１】
図９（ｂ）に示すように、オンライン状態発光部３２ｇから出力された緑色の出射光は、導光路４１ｆ，４１ｄ，４１ａに誘導されて、バックライトとして表示部３１を照射する。表示部３１は、この出射光の照射により緑色に発光する。同様に、オンライン状態発光部３２ｇから出力された緑色の出射光は、導光路４１ｄ，４１ｅ，４１ｆに誘導されて、オンライン状態表示部３４ａ、エンターキー３３ａ、セレクトキー３３ｂ、及びオンラインキー３３ｃを照射する。オンライン状態表示部３４ａ、エンターキー３３ａ、セレクトキー３３ｂ、及びオンラインキー３３ｃは、この出射光の照射により同一のタイミングで緑色に発光する。
【００５２】
（実施例２の効果）
本実施例２の表示装置３０Ｂ及び画像処理装置１によれば、実施例１の効果に加え、次の（Ｄ）のような効果がある。
【００５３】
（Ｄ）  表示装置３０Ｂの小型化
表示装置３０Ｂは、この内部にオンライン状態発光部３２ｇ、オフライン状態発光部３２ｈ、及び省電力状態発光部３２ｉを設け、オンライン状態発光部３２ｇ、オフライン状態発光部３２ｈ、又は省電力状態発光部３２ｉから出力された出射光が照射される構成としている。そのため、表示装置３０Ｂは、オンライン状態発光部３２ｇ、オフライン状態発光部３２ｈ、及び省電力状態発光部３２ｉの位置や大きさに影響されずに更なる小型化が可能となる。
【００５４】
（変形例）
本発明は、上記実施例１、２に限定されず、種々の利用形態や変形が可能である。この利用形態や変形例としては、例えば、次の（ｉ）〜（ｖｉ）のようなものがある。
【００５５】
（ｉ）  実施例１、２では、画像形成装置１がオンライン状態／オフライン状態／省電力状態の場合に、表示部３１等をそれぞれ発光させたが、他の場合に発光させても良い。このように変更しても、実施例１、２と同様の効果が得られる。
【００５６】
（ｉｉ）  実施例１、２では、画像形成装置１がオンライン状態／オフライン状態／省電力状態の場合に、表示部３１等をそれぞれ緑色／橙色／黄色に発光させたが、異なる色に発光させても良い。
【００５７】
（ｉｉｉ）  実施例１、２では、表示装置３０，３０Ｂに表示部３１、オンライン状態発光部３２ａ、オフライン状態発光部３２ｂ、省電力状態発光部３２ｃ、エンターキー３３ａ、セレクトキー３３ｂ、オンラインキー３３ｃ、キャンセルキー３３ｄ、及びパワーセーブキー３３ｅを設ける構成としたが、他の構成にしても良い。
【００５８】
（ｉｖ）  実施例１、２では、表示部３１を緑色、橙色、又は黄色に発光させる構成としたが、表示部３１を複数の領域に分割して、複数の色で発光させる構成にしても良い。
【００５９】
（ｖ）  実施例１、２では、表示装置３０，３０Ｂを備える画像形成装置１として電子写真プリンタを例に説明したが、モノクロ電子写真プリンタ、ファクシミリ装置、スキャナ、複写機、複合機（Multi  Function  Printer；ＭＦＰ）等の異なる装置においても使用可能である。
【００６０】
（ｖｉ）  実施例１、２では、電子機器として画像形成装置１を例に説明したが、他の電子機器においても使用可能である。この場合、表示装置３０，３０Ｂは、他の電子機器に応じて構成を変更する必要がある。
【符号の説明】
【００６１】
１  画像形成装置
３０  表示装置
３１  表示部
３２  発光部
３２ａ，３２ｄ，３２ｇ  オンライン状態表示
３２ｂ，３２ｅ，３２ｈ  オフライン状態表示
３２ｃ，３２ｆ，３２ｉ  省電力状態表示
３３  操作部
３３ａ  エンターキー
３３ｂ  セレクトキー
３３ｃ  オンラインキー
３３ｄ  キャンセルキー
３３ｅ  パワーセーブキー
３４ａ，３４ｂ，３４ｃ  ＬＥＤ
４１ａ，４１ｂ，４１ｃ，４１ｄ，４１ｅ，４１ｆ，４１ｇ，４１ｈ  導光路
【図１】
2016022640.tif 000003
【図２】
2016022640.tif 000004
【図３】
2016022640.tif 000005
【図４】
2016022640.tif 000006
【図５】
2016022640.tif 000007
【図６】
2016022640.tif 000008
【図７】
2016022640.tif 000009
【図８】
2016022640.tif 000010
【図９】
2016022640.tif 000011